(57)【要約】【課題】偽造防止ラベルの検証を携帯端末などのユーザが有する端末を使って簡易な方法で行うことを可能とする。【解決手段】  データが入力される入力部と、偽造防止ラベル作成データを格納する記憶部と、作成された偽造防止ラベルを出力するプリンターと、サーバ装置との間で通信を行う通信部と、ラベル作成データ処理を行うＣＰＵとから構成されている偽造ラベル作成装置：前記偽造ラベル作成装置、及び他の通信機器との間で通信を行う通信部と、偽造ラベル作成装置から送付されたシリアル番号データが格納される記憶部と、記憶部に格納されたシリアル番号データと受信された通信データ（シリアル番号データ）とを照合するデータ照合部と、データ格納及びデータ照合のためのデータ処理を行う処理制御部としてのＣＰＵとから構成されているサーバ装置：および、ユーザにより保有され、通信機能を有するユーザ端末により構成された偽造防止ラベル検証システムを提供する。【選択図】図１
2014056299.tif 000002
【特許請求の範囲】
【請求項１】
各種データやコマンドが入力される入力部と、
偽造防止ラベル作成用のデータが格納される記憶部と、
作成された偽造防止ラベルがプリントアウトされるプリンターと、
サーバ装置との間で通信を行う通信部と、
ラベル作成のためのデータ処理を行うＣＰＵとから構成されている偽造ラベル作成装置：
前記偽造ラベル作成装置又は他所に存在する通信機器との間で通信を行う通信部と、
偽造ラベル作成装置から送付されたシリアル番号データが格納される記憶部と、記憶部に格納されたシリアル番号データと受信された通信データ（シリアル番号データ）とを照合するデータ照合部と、
データ格納及びデータ照合のためのデータ処理を行う処理制御部としてのＣＰＵとから構成されているサーバ装置：および、
ユーザにより保有され、通信機能を有するユーザ端末により構成され、
前記偽造ラベル作成装置によりシリアル番号と認証サイトへのアクセス情報が含まれた偽造防止ラベルが作成されてユーザに送付されるとともに、シリアル番号は参照データとして前記サーバ装置へ送付され、
前記サーバ装置では、ユーザ端末から入力されたシリアル番号と前記サーバ装置へ参照データとして送付されたシリアル番号の認証処理が行われる、
ことを特徴とする偽造防止ラベル検証システム
【請求項２】
前記偽造防止ラベルに含まれた認証サイトへのアクセス情報は２次元バーコードに組み入れられたアドレス情報であることを特徴とする請求項１記載の偽造防止ラベル検証システム。
【請求項３】
前記偽造防止ラベル作成装置とサーバ装置との間は通信線により接続される一方、ユーザ端末とサーバ装置との間はネットワークにより接続されることを特徴とする請求項１記載の偽造防止ラベル検証システム。
【請求項４】
前記偽造防止ラベル作成装置の通信部とサーバ装置の通信部には、有線による通信デバイス、赤外線通信デバイス、ブルーツースによる通信デバイス、或いは無線通信デバイスのうち少なくともいずれか一つが用いられることを特徴とする請求項１記載の偽造防止ラベル検証システム。
【発明の詳細な説明】
【技術分野】
【０００１】
本発明は、製品の偽造および偽造品の流通を防止するために、偽造防止ラベルとラベル情報を基に検証する偽造防止ラベル検証システムに関するものである。
【背景技術】
【０００２】
従来から、正規の製造者になりすまして製品を偽造し、不正に利益得る行為やその偽造品による正規の製品の信用を失墜させる行為を防止するための技術が提案されている (例えば、特許文献１参照)。この従来技術では、偽造防止ラベルの製造および検証をする技術として、未処理ラベルを走査して未処理ラベルに関するデータを供給し、この走査データをデータ圧縮しまた、走査データを符号化して暗号化媒体証明書を供給し、アプリケーション証明書を媒体証明書に連結する。次に、１つまたは複数の証明書用の識別インディシアが供給され、符号化されたラベルはその後、媒体証明書および／またはアプリケーション証明書を確認することによって検証するというものである。
【先行技術文献】
【特許文献】
【０００３】
【特許文献１】特開２００５−２３８８２６号公報
【発明の概要】
【発明が解決しようとする課題】
【０００４】
しかしながら、上述したような従来の偽造防止ラベル検証システムにあっては、上記媒体証明書および／またはアプリケーション証明書を確認するための特別な装置が必要であり、また、商品の注文が出されて、その商品の配送を受けた側（ユーザ）側において偽造防止ラベルの検証を行うことは困難であるという不具合がある。
【０００５】
本発明は、上述したような事情に鑑みてなされたものであり、その目的は、偽造防止ラベルの検証を簡易な方法で行うことが可能な偽造防止ラベルと偽造防止ラベル検証システムを提供することにある。
【課題を解決するための手段】
【０００６】
本発明は上記目的を達成するために、各種データやコマンドが入力される入力部と、偽造防止ラベル作成用のデータが格納される記憶部と、作成された偽造防止ラベルがプリントアウトされるプリンターと、サーバ装置との間で通信を行う通信部と、ラベル作成のためのデータ処理を行うＣＰＵとから構成されている偽造ラベル作成装置：前記偽造ラベル作成装置又は他所に存在する通信機器との間で通信を行う通信部と、偽造ラベル作成装置から送付されたシリアル番号データが格納される記憶部と、記憶部に格納されたシリアル番号データと受信された通信データ（シリアル番号データ）とを照合するデータ照合部と、データ格納及びデータ照合のためのデータ処理を行う処理制御部としてのＣＰＵとから構成されているサーバ装置：および、ユーザにより保有され、通信機能を有するユーザ端末により構成された偽造防止ラベル検証システムを提供する。
【０００７】
上記構成において、前記偽造ラベル作成装置によりシリアル番号と認証サイトへのアクセス情報が含まれた偽造防止ラベルが作成されてユーザに送付されるとともに、シリアル番号は参照データとして前記サーバ装置へ送付され、前記サーバ装置では、ユーザ端末から入力されたシリアル番号と前記サーバ装置へ参照データとして送付されたシリアル番号の認証処理が行われる。これにより、偽造防止ラベルの検証を簡易な方法で行うことが可能になる。
【０００８】
また、上記偽造防止ラベル検証システムにおいて、偽造防止ラベルに含まれた認証サイトへのアクセス情報は２次元バーコードに組み入れられたアドレス情報により実現することができる。また、偽造防止ラベル作成装置とサーバ装置との間は通信線により接続される一方、ユーザ端末とサーバ装置との間はネットワークにより接続されてもよい。さらに、偽造防止ラベル作成装置の通信部とサーバ装置の通信部には、有線による通信デバイス、赤外線通信デバイス、ブルーツースによる通信デバイス、或いは無線通信デバイスのうち少なくともいずれか一つが用いられることができる。
【発明の効果】
【０００９】
本発明によれば、偽造防止ラベルの検証を携帯端末などのユーザが有する端末を使って簡易な方法で行うことが可能であるので、安いコストで確実な偽造防止ラベルの検証が行える。
【図面の簡単な説明】
【００１０】
【図１】本発明の一実施の形態に係る偽造防止ラベル検証システムの概略構成図である。
【図２】上記実施の形態に於けるラベル作成装置の構成例を表すブロック図である。
【図３】上記実施の形態に於けるラベル作成装置において作成された偽造防止ラベルの例を示す図である。
【図４】上記実施の形態に於けるサーバ装置の構成例を表すブロック図である。
【図５】上記実施の形態に於けるサーバ装置の記憶部内に設定されたシリアル番号格納領域を示す図である。
【図６】上記実施の形態に於ける偽造防止ラベル検証システムにおいて偽造防止ラベルの作成から、商品の流通、ユーザからの検証依頼動作、および検証動作までを図解した動作解説図である。
【図７】上記実施の形態に於ける偽造防止ラベル作成の処理動作を説明するフローチャートである。
【図８】上記実施の形態に於ける偽造防止ラベル認証の処理動作を説明するフローチャートである。ブロック図である。
【図９】上記実施の形態に於ける認証動作の各処理において表示される各種サイト画像イメージの例を示す図である。
【発明を実施するための形態】
【００１１】
以下、本発明の実施の形態について説明する。図１は本発明の一実施の形態に係る偽造防止ラベル検証システムの構成を概略的に表す図である。この実施の形態に係る偽造防止ラベル検証システムにおいて符号１は偽造防止ラベル作成装置（以下、単にラベル作成装置という）であり、２はサーバ装置、３、４はユーザ端末としての携帯電話及びスマートフォンである。ラベル作成装置１はラベル発行者（例えばラベルの製造を委託されたラベル印刷会社や正規製品の製造会社）の下に配置され、パソコン５及びこれに接続されたプリンター６から構成されるとともに、通信線８を介してサーバ装置２に接続されている。サーバ装置２にはホスティングサーバが用いられ、携帯電話３及びスマートフォン４とネットワーク７を通して接続されている。このサーバ装置２はデータ格納機能とデータ照合機能とを有し、偽造防止ラベルの検証を行う。携帯電話３及びスマートフォン４はユーザによって保持或いは所有され、通信機能のみならず画像読み取り及び認識機能を持っている。ネットワーク７はインターネット、その他の通信ネットワークが相当する。なお図１では、ラベル作成装置１とサーバ装置２は通信線８を介して直接接続される構成となっているが、ネットワーク７を介して接続される構成となっていてもよい。またユーザ端末として携帯電話３及びスマートフォン４が示されているが、これは１つの事例を表したもので、その他タブレット端末などを含む各種携帯情報端末、或いはユーザが保有するパソコンなどであってもよい。
【００１２】
図２はラベル作成装置１の構成例を表すブロック図である。このラベル作成装置１は、各種データやコマンドが入力される入力部１１と、偽造防止ラベル作成用のデータが格納される記憶部１２と、作成された偽造防止ラベルがプリントアウトされるプリンター６と、サーバ装置２との間で通信を行う通信部１３と、ラベル作成のためのデータ処理を行う一方、上記各種機能部６、１１、１２、１３の動作をコントロールする処理制御部としてのＣＰＵ１４とから構成されている。入力部１１はキーボード、マウスなどの各種入力デバイスにより構成され、偽造防止ラベルの作成指示及び納品書の入力事項が入力される。記憶部１２には偽造防止ラベルや納品書のデータ、偽造防止ラベルに割り当てられるべきシリアル番号リストデータ、および偽造防止ラベルに印刷されるバーコードデータが格納されており、上記各データがＣＰＵ１４により適宜読み出し、書き込みされる。プリンター６からは作成された偽造防止ラベル、或いは納品伝票がプリントアウトされる。通信部１３は有線による通信デバイス、赤外線通信デバイス、ブルーツースによる通信デバイス、或いは無線通信デバイスなど各種形態の通信手段が用いられる。この通信部１３からはサーバ装置２へ、偽造防止ラベルに割り当てられたシリアル番号データが送付され、当該シリアル番号データはサーバ装置２内へ格納される。
【００１３】
図３はラベル作成装置１において作成された偽造防止ラベルの例を示す図である。この偽造防止ラベル１５には、バーコード１６と、偽造防止ラベルに割り当てられたシリアル番号１７とが印刷表示されている。バーコード１６としては２次元バーコードが用いられ、その中には偽造防止ラベル１５の検証を行う証明サイトのアドレス情報が含まれている。上記証明サイトとはサーバ装置２の中に設定された検証処理サイト（処理画面）を意味する。シリアル番号１７とはその偽造防止ラベル１５に一意に決められた番号、符号、記号を示し、このシリアル番号１７は目隠し材１８により覆われていてユーザの手元に到着するまでは秘密が保持される。なお符号１９はユーザが目隠し材１８を取り除く（擦り剥す）ためのコインを表す。
【００１４】
図４はサーバ装置２の構成例を表すブロック図である。このサーバ装置２は、ラベル作成装置１、携帯電話３及びスマートフォン４との間で通信を行う通信部２１と、各種データや動作プログラムに加えてラベル作成装置１から送付されたシリアル番号データが格納される記憶部２２と、記憶部２２に格納されたシリアル番号データと受信された通信データ（シリアル番号データ）とを照合するデータ照合部２３と、データ格納及びデータ照合のためのデータ処理を行う一方、上記各種機能部２１、２２、２３の動作をコントロールする処理制御部としてのＣＰＵ２４とから構成されている。
【００１５】
図５は記憶部２２内に設定されたシリアル番号１７格納領域を示す図である。この記憶部２２内の格納領域２０には複数のシリアル番号１７が項番１，２，３、・・・に従って格納され参照データとなる。それぞれのシリアル番号１７には、照合処理動作が行われたか否かの状況を示す確認フラグが付けられている。確認フラグのうち、「０」は未だ照合処理動作が行われていないことを示し、「１」はすでに照合処理動作が行われたことを示す。
【００１６】
上述の構成を有する偽造防止ラベル検証システムについて、以下各種動作を説明する。図６は偽造防止ラベル１５の作成から、商品の流通、ユーザからの検証依頼動作、および検証動作までを図解した動作解説図である。
【００１７】
動作１（偽造防止ラベル作成動作）
偽造防止ラベル作成動作はラベル作成装置１において行われる。図７は偽造防止ラベル作成の処理動作を説明するフローチャートである。このラベル作成処理動作が開始されると、ラベル作成装置１のＣＰＵ１４は、記憶部１２から必要なデータを読み出してシリアルコードの採番を行う（ステップＳ１）。この動作においては、企業番号と、偽造防止ラベル作成日付と、乱数によるシリアル番号１７とが発行される。次にＣＰＵ１４は、プリンター６を起動し偽造防止ラベル１５を印刷する（ステップＳ２）。この動作においては、採番されたシリアル番号１７及び２次元バーコード１６が偽造防止ラベルに印刷される。なお２次元バーコード１６についてはラベル材に予め印刷されていてもよい。次にＣＰＵ１４は、自身でデータ処理を行ってＣＳＶファイル（図６中の符号２５）を作成し出力する（ステップＳ３）。この動作においては、採番されたシリアル番号１７についてのＣＳＶファイル２５（上記シリアル番号データに相当する）が作成され、このＣＳＶファイル２５はサーバ装置２へ送付される。これにより採番されたシリアル番号１７はサーバ装置２の記憶部２２に参照データとして格納される。なお以上の処理動作と並行して、或いは別処理として納品伝票２６が作成される。
【００１８】
動作２（商品流通動作）
以上のようにして作成された偽造防止ラベル１５は商品２７に貼付されて流通しユーザ２８が購入する。
【００１９】
動作３（認証動作）
認証動作はユーザ端末である携帯電話３及びスマートフォン４（ここでは携帯電話３を代表させる）と、この携帯電話３にネットワーク７を通して接続されたサーバ装置２との間において行われる。図８は偽造防止ラベル認証の処理動作を説明するフローチャートである。この認証処理動作は携帯電話３側における認証要求により開始される。携帯電話３においては、偽造防止ラベル１５に印刷された２次元バーコード１６が付属のカメラにより読み取られ（ステップＳ２１）、そのデータからサーバ装置２のアドレスが解析されてサーバ装置の画像認証サイトへアクセスする（ステップＳ２２）。このアクセスを受けるとサーバ装置２では、認証動作が開始され、ＣＰＵ２４は記憶部２２から認証処理動作に必要なデータを読み出し、画像認証サイトの画像を携帯電話３へ向けて送付する（ステップＳ１３）。
【００２０】
図９はこの認証動作の各処理において表示される各種画像イメージの例を示す図である。図９（ａ）は上記画像認証サイト画面３１である。この図に示すように、画像認証サイト画面３１には入力すべき数字（キャプチャ）の表示部３２と、その数字の入力枠３３と、要求指示ボタン（ＯＫボタン）３４とが設けられている。このように要求指示ボタン３４以外に数字入力枠３３を設けている理由は、要求指示が正しくユーザによってなされていること（すなわち、応答者がコンピュータでないこと）をＣＰＵ２４が認識して不正アクセスを防止するためである。不正アクセス防止対策としては、他にもパスワードの入力を行わせ、且つ所定回数以上の誤入力の場合は認証を不可とする方法がある。また別の不正アクセス防止対策としては、パソコン、携帯電話、スマートフォンからＩＰアドレスを取得し、同じＩＰアドレスから指定回数以上の誤差が生じた場合、そのＩＰアドレスからの認証を一定期間停止する方法がある。また、同一企業内において、複数のパソコンを使用した場合、インターネット接続方法によっては、１台のパソコンが指定回数以上の誤認証を行った際、その企業内の全部のパソコンからの認証を不可とする等の方法がある。
【００２１】
携帯電話３側では画像認証サイト画面３１を受信すると、数字入力枠３３への書き込みと、要求指示ボタン３４の操作が行われる（ステップＳ１４）。次にサーバ装置２では、シリアル番号の証明サイトの画像を携帯電話３へ向けて送付する（ステップＳ１５）。図９（ｂ）は上記シリアル番号証明サイト画面３５を示す。この図に示すように、シリアル番号証明サイト画面３５には操作を指示するメッセージ３６と、シリアル番号の入力枠３７と、要求指示ボタン３８とが設けられている。携帯電話３側ではシリアル番号証明サイト画面３５を受信すると、シリアル番号入力枠３７への書き込みと、要求指示ボタン３８の操作が行われる（ステップＳ１６）。
【００２２】
次にサーバ装置２では、シリアル番号の証明処理動作に入る（ステップＳ１７）。このシリアル番号の証明処理動作では、ＣＰＵ２４は、入力データと参照データが一致するか否かをチェックする（ステップＳ１８）。ここで入力データとは上記ステップＳ１６においてシリアル番号入力枠３７へ書き込まれたシリアル番号であり偽造防止ラベル１５に記載されていたシリアル番号１７である。参照データとは上記ラベル作成装置１において採番され、上記ステップＳ３においてサーバ装置１へ送付されて記憶部２２に格納されたシリアル番号である。上記チェック動作において入力データと参照データが一致しないと判定された場合、ＣＰＵ２４は、入力されたシリアル番号が存在しないことを表す証明結果画像を携帯電話３へ向けて送付する（誤判定１：ステップＳ１９）。図９（ｅ）は上記シリアル番号が存在しないことを表す証明結果画面３９を示す。この証明結果画面３９には上記シリアル番号が存在しないことを表すメッセージ４０と、表示確認ボタン４１とが設けられている。携帯電話３側では証明結果画面３９を受信すると、表示確認ボタン４１の操作が行われ（ステップＳ２３）、一連の動作を終了する。上記確認動作はサーバ装置２へ送信され、サーバ装置もまた、一連の動作を終了する。
【００２３】
上記チェック動作（ステップＳ１８）において入力データと参照データが一致すると判定された場合、ＣＰＵ２４は、次に参照データは未だ照合されていないか否かをチェックする（ステップＳ２０）。このチェック動作において参照データはすでに照合されていると判定された場合、ＣＰＵ２４は、入力されたシリアル番号は正規な番号であり、また、以前に証明されたことを表す証明結果画像を携帯電話３へ向けて送付する（誤判定２：ステップＳ２１）。図９（ｄ）は上記シリアル番号が以前に証明されたことを表す証明結果画面４２を示す。この証明結果画面４２には上記シリアル番号が以前に証明されたことを表すメッセージ４３と、表示確認ボタン４４とが設けられている。携帯電話３側では証明結果画面４２を受信すると、表示確認ボタン４４の操作が行われ（ステップＳ２３）、一連の動作を終了する。上記確認動作はサーバ装置２へ送信され、サーバ装置もまた、一連の動作を終了する。
【００２４】
上記チェック動作（ステップＳ２０）において参照データは未だ照合されていないと判定された場合、ＣＰＵ２４は、入力されたシリアル番号は正規な番号であることを表す証明結果画像を携帯電話３へ向けて送付する（正判定：ステップＳ２２）。図９（ｃ）は上記入力されたシリアル番号は正規な番号であることを表す証明結果画面４５を示す。この証明結果画面４５には上記シリアル番号が正規な番号であることを表すメッセージ４６と、表示確認ボタン４７とが設けられている。携帯電話３側では証明結果画面４５を受信すると、表示確認ボタン４７の操作が行われ（ステップＳ２３）、一連の動作を終了する。上記確認動作はサーバ装置２へ送信され、サーバ装置もまた、一連の動作を終了する。
【産業上の利用可能性】
【００２５】
本発明による偽造防止ラベル検証システムによれば、偽造防止ラベルの検証を携帯端末などのユーザが有する端末を使って簡易な方法で行うことが可能であるので、安いコストで確実な偽造防止ラベルの検証が行え、有用である。
【符号の説明】
【００２６】
１  偽造防止ラベル作成装置
２  サーバ装置
３  携帯電話
４  スマートフォン
５  パソコン
６  プリンター
７  ネットワーク
８  通信線
１１  入力部
１２、２２  記憶部
１３，２１  通信部
１４，２４  処理制御部（ＣＰＵ）
１５  偽造防止ラベル
１６  バーコード
１７  シリアル番号
１８  目隠し材
１９  コイン
２０  格納領域
２３  データ照合部
３１，３５，３９，４２，４５  サイト画面
【図２】
2014056299.tif 000003
【図４】
2014056299.tif 000004
【図５】
2014056299.tif 000005
【図７】
2014056299.tif 000006
【図８】
2014056299.tif 000007
【図１】
2014056299.tif 000008
【図３】
2014056299.tif 000009
【図６】
2014056299.tif 000010
【図９】
2014056299.tif 000011